(57)【要約】【課題】携帯端末の記憶容量制限の問題、通信料金の問題を解決すると共に、利用者の注文操作の利便性を改善することができる写真プリント注文システムおよび写真プリント注文方法を提供することにある。【解決手段】携帯端末の表示用の画像サイズの表示用画像データに基づいて、当該表示用画像データの識別情報である画像データ識別情報を含む注文情報を作成し、作成された注文情報を情報処理装置に送信し、携帯端末から注文情報を受信し、受信した注文情報に含まれる画像データ識別情報に対応する写真プリント処理に提供されるプリント用画像データを記録媒体から検索し、検索されたプリント用画像データを含む注文情報をサーバに送信するように構成される写真プリント注文システムである。【選択図】図１
2009080768.tif 000002
【特許請求の範囲】
【請求項１】
写真プリント処理に提供される画像データを含む注文情報をネットワークを介して送信することで写真プリント注文を行なう写真プリント注文システムであって、
携帯端末の表示用の画像サイズの表示用画像データを保存する表示用画像データ保存部と、
前記表示用画像データに基づいて、当該表示用画像データの識別情報である画像データ識別情報を含む注文情報を作成する注文情報作成部と、
前記作成された注文情報を情報処理装置に送信する通信部と、を有する携帯端末と、
写真プリント処理に提供されるプリント用画像データを保存するプリント用画像データ保存部と、
前記携帯端末から前記注文情報を受信する通信部と、
前記受信した注文情報に含まれる前記画像データ識別情報に対応するプリント用画像データをプリント用画像データ保存部から検索する検索部と、
前記検索されたプリント用画像データを含む注文情報をサーバに送信する指令を前記通信部に行なう注文指令部と、を有する情報処理装置と、
を備える写真プリント注文システム。
【請求項２】
写真プリント処理に提供される画像データを含む注文情報をネットワークを介して送信することで写真プリント注文を行なう写真プリント注文システムであって、
携帯端末の表示用の画像サイズの表示用画像データを保存する表示用画像データ保存部と、
前記表示用画像データに基づいて、当該表示用画像データの識別情報である画像データ識別情報を含む注文情報を作成する注文情報作成部と、
前記作成された注文情報をサーバおよび情報処理装置に送信する通信部と、を有する携帯端末と、
写真プリント処理に提供されるプリント用画像データを保存するプリント用画像データ保存部と、
前記携帯端末から前記注文情報を受信する通信部と、
前記受信した注文情報に含まれる前記画像データ識別情報に対応するプリント用画像データをプリント用画像データ保存部から検索する検索部と、
前記検索されたプリント用画像データおよび画像データ識別情報をサーバに送信する指令を前記通信部に行なう注文指令部と、を有する情報処理装置と、
前記携帯端末から前記注文情報を受信し、前記情報処理装置からプリント用画像データおよび画像データ識別情報を受信する通信部と、
前記受信した注文情報に含まれる画像データ識別情報と情報処理装置から送信された画像データ識別情報とを照合して、当該注文情報に係るプリント用画像データを検索する検索部と、を有するサーバと、
を備える写真プリント注文システム。
【請求項３】
前記携帯端末と情報処理装置とをデータ通信可能に接続した場合に、前回接続した後で作成された注文情報が存在するか否かを判断する注文情報有無判断部をさらに備え、
前記情報処理装置の通信部は、前回接続した後で作成された注文情報を前記携帯端末から受信するように構成する請求項１に記載の写真プリント注文システム。
【請求項４】
前記携帯端末と情報処理装置とをデータ通信可能に接続した場合に、前回接続した後で作成された注文情報が存在するか否かを判断する注文情報有無判断部をさらに備え、
前記情報処理装置および前記サーバの通信部は、前回接続した後で作成された注文情報を前記携帯端末から受信するように構成する請求項２に記載の写真プリント注文システム。
【請求項５】
前記携帯端末は、
画像を撮影する撮影部と、
前記撮影により取得されたプリント用画像データから、当該プリント用画像データの画像サイズよりも小さい画像サイズとなるように、前記表示用画像データを作成し、表示用画像データ保存部に保存する表示用画像データ作成部と、
前記プリント用画像データを前記情報処理装置に前記通信部によって送信し、前記プリント用画像データ保存部に保存するように指令するプリント用画像データ保存指令部と、
前記送信されたプリント用画像データを携帯端末から削除する削除部と、をさらに備え、
前記情報処理装置は、前記受信したプリント用画像データを前記プリント用画像データ保存部に保存するように制御するプリント用画像データ保存制御部をさらに備える請求項１から４のいずれか１項に記載の写真プリント注文システム。
【請求項６】
前記情報処理装置は、
プリント用画像データから、当該プリント用画像データの画像サイズよりも小さい画像サイズとなるように、前記表示用画像データを作成する表示用画像データ作成部と、
前記表示用画像データを前記携帯端末に前記通信部によって送信し、表示用画像データ保存部に保存するように指令する表示用画像データ保存指令部と、をさらに備え、
携帯端末は、前記受信した表示用画像データを前記表示用画像データ保存部に保存するように制御する表示用画像データ保存制御部をさらに備える請求項１から５のいずれか１項に記載の写真プリント注文システム。
【請求項７】
前記携帯端末と情報処理装置とをデータ通信可能に接続した場合に、携帯端末に保存されているプリント用画像データと同一のプリント用画像データが情報処理装置のプリント用画像データ保存部に保存されているか否かを判断するプリント用画像データ有無判断部を、有し、
当該保存されていない場合に、前記表示用画像データ作成部は、プリント用画像データから、当該プリント用画像データの画像サイズよりも小さい画像サイズとなるように、表示用画像データを作成し、表示用画像データ保存部に保存し、
前記プリント用画像データ保存指令部は、プリント用画像データを情報処理装置に通信部によって送信し、プリント用画像データ保存部に保存するように指令することを特徴とする請求項５に記載の写真プリント注文システム。
【請求項８】
前記携帯端末と情報処理装置とをデータ通信可能に接続した場合に、情報処理装置のプリント用画像データ保存部に保存されているプリント用画像データに対応する表示用画像データが携帯端末の表示用画像データ保存部に保存されているか否かを判断する表示用画像データ有無判断部を、有し、
当該保存されていない場合に、前記表示用画像データ作成部は、プリント用画像データから、当該プリント用画像データの画像サイズよりも小さい画像サイズとなるように、表示用画像データを作成し、前記表示用画像データ保存指令部は、作成された表示用画像データを前記携帯端末に前記通信部によって送信し、当該表示用画像データ保存部に保存するように指令することを特徴とする請求項６に記載の写真プリント注文システム。
【請求項９】
写真プリント処理に提供される画像データを含む注文情報をネットワークを介して送信することで写真プリント注文を行なう写真プリント注文方法であって、
携帯端末の表示用の画像サイズの表示用画像データに基づいて、当該表示用画像データの識別情報である画像データ識別情報を含む注文情報を作成する注文情報作成ステップと、
前記作成された注文情報を情報処理装置に送信する注文情報送信ステップと、
前記携帯端末から前記注文情報を受信する注文情報受信ステップと、
前記受信した注文情報に含まれる前記画像データ識別情報に対応する写真プリント処理に提供されるプリント用画像データを記録媒体から検索する検索ステップと、
前記検索されたプリント用画像データを含む注文情報をサーバに送信する指令を通信手段に行なう注文指令ステップと、を有する写真プリント注文方法。
【請求項１０】
写真プリント処理に提供される画像データを含む注文情報をネットワークを介して送信することで写真プリント注文を行なう写真プリント注文方法であって、
携帯端末の表示用の画像サイズの表示用画像データに基づいて、当該表示用画像データの識別情報である画像データ識別情報を含む注文情報を作成する注文情報作成ステップと、
前記作成された注文情報をサーバに送信する第１の注文情報送信ステップと、
前記作成された注文情報を情報処理装置に送信する第２の注文情報送信ステップと、
前記第２の注文情報送信ステップにおける携帯端末から前記注文情報を受信する注文情報受信ステップと、
前記受信した注文情報に含まれる前記画像データ識別情報に対応する写真プリント処理に提供されるプリント用画像データを記録媒体から検索する検索ステップと、
前記検索されたプリント用画像データおよび画像データ識別情報をサーバに送信する指令を通信手段に行なう注文指令ステップと、
前記第１の注文情報送信ステップにおける携帯端末から前記注文情報を受信する注文情報受信ステップと、
前記情報処理装置からプリント用画像データおよび画像データ識別情報を受信するプリント用画像データ受信ステップと、
前記受信した注文情報に含まれる画像データ識別情報と情報処理装置から送信された画像データ識別情報とを照合して、当該注文情報に係るプリント用画像データを検索する検索ステップと、を有する写真プリント注文方法。
【発明の詳細な説明】
【技術分野】
【０００１】
本発明は、写真プリント処理に提供される画像データを含む注文情報をネットワークを介して送信することで写真プリント注文を行なう写真プリント注文システムに関する。また、写真プリント注文方法に関する。
【背景技術】
【０００２】
写真プリントの注文方法は、店頭からのみ行なわれるものではなく、店舗内の情報処理装置とネットワーク接続されたサーバからのオンライン注文も存在する（例えば、特許文献１参照）。このオンライン注文は、例えば、注文者が携帯電話や自宅のパソコンを用いてサーバに接続し、写真プリントしたい画像データと注文に関する注文情報をサーバに送り、サーバが写真プリント処理店（以下、写真店あるいはミニラボ店という）の情報処理装置に、当該画像データおよび注文情報を送ることで注文を行なう注文形態である。
【０００３】
【特許文献１】特開２００３−３１９４６３号公報
【発明の開示】
【発明が解決しようとする課題】
【０００４】
しかしながら、携帯電話やＰＤＡ等の携帯端末は操作画面が小さく入力操作性も低いため、サーバからダウンロードされた操作画面を用いて注文操作をすることは簡単とはいえず、利用者にとって利便性が乏しい。そのため、携帯端末の使用態様としては、画像データを閲覧することが多く、注文する場合にはパソコンからサーバに接続して行なうことが多い。
【０００５】
また、携帯電話やＰＤＡ等の携帯端末は、そのデータ保存容量に制限があり、高解像度データや画像サイズの大きいようなデータを複数保存しておくことができず、画像サイズの小さいサムネイル画像のみを保存しておく場合が多い。このサムネイル画像で写真プリントを行なうと粗い画質となり写真としては好ましくない。このように、サムネイル画像を保存しているような携帯端末からは、実際に注文を行えないと考えられる。
【０００６】
また、携帯電話の場合、通信料がかかり、画像データのようにデータサイズが大きいほど通信料も高額になるため、利用者にとって選択しづらい注文方法であった。
【０００７】
ところで、サムネイル画像のオリジナルの画像データは、パソコンに保存されている場合が多い。例えば、カメラ付携帯電話で高解像度かつ画像サイズの大きい画像データを撮影した場合、記憶媒体の容量を圧迫する前に、パソコンに画像データを転送することが行なわれる。また、デジタルカメラで撮影した画像データをパソコンで保存する場合も多い。このような場合に、外出中に携帯端末に保存されているサムネイル画像を閲覧して、プリントしたい画像を覚えておき、家に戻ってからパソコンに保存されている画像データを検索して注文することが考えられる。携帯端末でサムネイル画像を閲覧することは簡便ではあるものの、家のパソコンからプリントしたい画像を検索することが大変面倒である。さらには、プリントしたい画像あるいは注文すること自体を忘れてしまうこともある。
【０００８】
本発明は上記実情に鑑みてなされたものであり、その課題は、携帯端末の記憶容量制限の問題、通信料金の問題を解決すると共に、利用者の注文操作の利便性を改善することができる写真プリント注文システムおよび写真プリント注文方法を提供することにある。
【課題を解決するための手段】
【０００９】
上記課題を解決するため本発明に係る写真プリント注文システムは、
写真プリント処理に提供される画像データを含む注文情報をネットワークを介して送信することで写真プリント注文を行なう写真プリント注文システムであって、
携帯端末の表示用の画像サイズの表示用画像データを保存する表示用画像データ保存部と、
前記表示用画像データに基づいて、当該表示用画像データの識別情報である画像データ識別情報を含む注文情報を作成する注文情報作成部と、
前記作成された注文情報を情報処理装置に送信する通信部と、を有する携帯端末と、
写真プリント処理に提供されるプリント用画像データを保存するプリント用画像データ保存部と、
前記携帯端末から前記注文情報を受信する通信部と、
前記受信した注文情報に含まれる前記画像データ識別情報に対応するプリント用画像データをプリント用画像データ保存部から検索する検索部と、
前記検索されたプリント用画像データを含む注文情報をサーバに送信する指令を前記通信部に行なう注文指令部と、を有する情報処理装置と、を備えることを特徴とする。
【００１０】
かかる写真プリント注文システムの作用・効果を説明する。当該システムは、注文者側に係る携帯端末および情報処理装置と、注文を受ける側のサーバとを有して構成されている。携帯端末は、例えば、携帯電話（カメラ付携帯電話を含む）、ＰＤＡ（カメラ付ＰＤＡを含む）、携帯型情報処理装置、通信機能付デジタルカメラ等が例示される。情報処理装置は、例えばパソコンが例示される。
【００１１】
携帯端末は、携帯端末の表示用の画像サイズの表示用画像データを保存する表示用画像データ保存部と、表示用画像データに基づいて、当該表示用画像データの識別情報である画像データ識別情報を含む注文情報を作成する注文情報作成部と、作成された注文情報を情報処理装置に送信する通信部とを有している。表示用の画像サイズの表示用画像データは、後述するプリント用画像データをオリジナルの画像データとするものであり、このプリント用画像データよりも画像サイズの小さいデータである。主に、携帯端末の表示用に用いられ、写真プリント用には適さない画像サイズのデータである。表示用画像データをサムネイル画像データと称することもある。注文情報は、写真プリント注文に必要な情報であり、例えば、注文情報の識別情報（例えば、作成日時等）、画像データ識別情報、画像データそれぞれのプリント枚数、プリントサイズ（Ｌ判等）、注文者識別情報、支払い方法、仕上がり写真の受け取り方法等の情報が例示されるが、注文情報には少なくとも注文情報の識別情報、画像データ識別情報、注文者識別情報が含まれる。注文者識別情報は、例えば、携帯端末および／または情報処理装置の識別情報、注文者氏名、電話番号、注文者住所等が例示される。注文者識別情報は、予め設定されていてもよく、注文処理の度に設定してもよい。また、プリント枚数、プリントサイズ等の情報も予め設定された値でもよい。なお、注文情報は、携帯端末側で全て作成される場合もあるが、情報処理装置側で作成されるデータの種類もある。
【００１２】
情報処理装置は、写真プリント処理に提供されるプリント用画像データを保存するプリント用画像データ保存部と、携帯端末から注文情報を受信する通信部と、受信した注文情報に含まれる画像データ識別情報に対応するプリント用画像データをプリント用画像データ保存部から検索する検索部と、検索されたプリント用画像データを含む注文情報をサーバに送信する指令を通信部に行なう注文指令部とを有している。
【００１３】
サーバは、情報処理装置からプリント用画像データを含む注文情報を受信し、所定の写真処理装置に提供するように構成されている。
【００１４】
以上の構成によれば、注文者は、携帯端末を用いていつでもどこでも好きなときに写真プリントさせたい画像データを選択できる。ここで選択された画像データは、オリジナルよりも画像サイズの小さい表示用画像データであるため、携帯端末の記憶容量を圧迫することがなく、また、サーバへ接続する必要がないため通信料がかからず、例えば携帯電話から直接注文する方法に比べて、注文者の経済的負担が少なくてすむ。そして、携帯端末から注文情報を情報処理装置に送信して、プリント用画像データを検索し、プリント用画像データを含む注文情報をサーバに送信することができるため、注文者が、パソコンに保存されているオリジナルの画像データを検索することがなく注文者の手間がなくなり操作性が飛躍的に向上する。また、携帯端末で設定した注文情報をパソコン上で再度設定することがないため二度手間にならない。
【００１５】
また、上記の本発明に係る写真プリント注文システムにおいて、携帯端末と情報処理装置とをデータ通信可能に接続した場合に、前回接続した後で作成された注文情報が存在するか否かを判断する注文情報有無判断部をさらに備え、記情報処理装置の通信部は、前回接続した後で作成された注文情報を携帯端末から受信するように構成することを特徴とする。
【００１６】
この構成によれば、携帯端末と情報処理装置とをデータ通信可能に接続した場合に、携帯端末に保存されている複数の注文情報の中から、前回接続した後で作成された注文情報か否かが判断され、前回接続した後で作成された注文情報のみが選択されて情報処理装置に送信されるため、情報処理装置は新しい注文情報のみを受信することができる。
【００１７】
また、他の本発明に係る写真プリント注文システムは、
写真プリント処理に提供される画像データを含む注文情報をネットワークを介して送信することで写真プリント注文を行なう写真プリント注文システムであって、
携帯端末の表示用の画像サイズの表示用画像データを保存する表示用画像データ保存部と、
前記表示用画像データに基づいて、当該表示用画像データの識別情報である画像データ識別情報を含む注文情報を作成する注文情報作成部と、
前記作成された注文情報をサーバおよび情報処理装置に送信する通信部と、を有する携帯端末と、
写真プリント処理に提供されるプリント用画像データを保存するプリント用画像データ保存部と、
前記携帯端末から前記注文情報を受信する通信部と、
前記受信した注文情報に含まれる前記画像データ識別情報に対応するプリント用画像データをプリント用画像データ保存部から検索する検索部と、
前記検索されたプリント用画像データおよび画像データ識別情報をサーバに送信する指令を前記通信部に行なう注文指令部と、を有する情報処理装置と、
前記携帯端末から前記注文情報を受信し、前記情報処理装置からプリント用画像データおよび画像データ識別情報を受信する通信部と、
前記受信した注文情報に含まれる画像データ識別情報と情報処理装置から送信された画像データ識別情報とを照合して、当該注文情報に係るプリント用画像データを検索する検索部と、を有するサーバと、を備えることを特徴とする。
【００１８】
この構成によると、携帯端末は、携帯端末の表示用の画像サイズの表示用画像データを保存する表示用画像データ保存部と、表示用画像データに基づいて、当該表示用画像データの識別情報である画像データ識別情報を含む注文情報を作成する注文情報作成部と、作成された注文情報をサーバおよび情報処理装置に送信する通信部とを有している。そして、情報処理装置は、写真プリント処理に提供されるプリント用画像データを保存するプリント用画像データ保存部と、携帯端末から注文情報を受信する通信部と、受信した注文情報に含まれる画像データ識別情報に対応するプリント用画像データをプリント用画像データ保存部から検索する検索部と、検索されたプリント用画像データおよび画像データ識別情報をサーバに送信する指令を通信部に行なう注文指令部とを有している。そして、サーバは、携帯端末から注文情報を受信し、情報処理装置からプリント用画像データおよび画像データ識別情報を受信する通信部と、受信した注文情報に含まれる画像データ識別情報と情報処理装置から送信された画像データ識別情報とを照合して、当該注文情報に係るプリント用画像データを検索する検索部とを有している。
【００１９】
以上の構成によれば、携帯端末で作成した注文情報（画像データを含まない）をサーバに送信しているため、従来のように画像データを含んだ注文情報を送信するよりも通信料が低額となる。また、注文者は、携帯端末を用いていつでもどこでも好きなときに写真プリントさせたい画像データを選択できる。ここで選択された画像データは、オリジナルよりも画像サイズの小さい表示用画像データであるため、携帯端末の記憶容量を圧迫することがない。そして、携帯端末から注文情報を情報処理装置に送信して、プリント用画像データを検索し、プリント用画像データおよび画像データ識別情報をサーバに送信することができるため、注文者が、パソコンに保存されているオリジナルの画像データを検索することがなく注文者の手間がなくなり操作性が飛躍的に向上する。また、携帯端末で設定した注文情報をパソコン上で再度設定することがないため二度手間にならない。
【００２０】
また、上記の本発明に係る写真プリント注文システムにおいて、携帯端末と情報処理装置とをデータ通信可能に接続した場合に、前回接続した後で作成された注文情報が存在するか否かを判断する注文情報有無判断部をさらに備え、情報処理装置およびサーバの通信部は、前回接続した後で作成された注文情報を前記携帯端末から受信するように構成することを特徴とする。
【００２１】
この構成によれば、携帯端末と情報処理装置とをデータ通信可能に接続した場合に、携帯端末に保存されている複数の注文情報の中から、前回接続した後で作成された注文情報か否かが判断され、前回接続した後で作成された注文情報のみが選択されて情報処理装置およびサーバに送信されるため、情報処理装置およびサーバは新しい注文情報のみを受信することができる。
【００２２】
また、上記の本発明に係る写真プリント注文システムにおいて、
前記携帯端末は、
画像を撮影する撮影部と、
前記撮影により取得されたプリント用画像データから、当該プリント用画像データの画像サイズよりも小さい画像サイズとなるように、前記表示用画像データを作成し、表示用画像データ保存部に保存する表示用画像データ作成部と、
前記プリント用画像データを前記情報処理装置に前記通信部によって送信し、前記プリント用画像データ保存部に保存するように指令するプリント用画像データ保存指令部と、
前記送信されたプリント用画像データを携帯端末から削除する削除部と、をさらに備え、
前記情報処理装置は、前記受信したプリント用画像データを前記プリント用画像データ保存部に保存するように制御するプリント用画像データ保存制御部をさらに備えることを特徴とする。
【００２３】
この構成によれば、携帯端末において、撮影により取得されたプリント用画像データから、当該プリント用画像データの画像サイズよりも小さい画像サイズとなるように、表示用画像データを作成し、表示用画像データ保存部に保存することができる。さらに、プリント用画像データを情報処理装置に送信し、プリント用画像データ保存部に保存することができる。この送信されたプリント用画像データは携帯端末から削除される。これにより、携帯端末では表示用画像データを保存しておき、プリント用画像データは情報処理装置に保存させておくことができる。
【００２４】
またこの構成において、携帯端末と情報処理装置とをデータ通信可能に接続した場合に、携帯端末に保存されているプリント用画像データと同一のプリント用画像データが情報処理装置のプリント用画像データ保存部に保存されているか否かを判断するプリント用画像データ有無判断部を、有し、当該保存されていない場合に、表示用画像データ作成部は、プリント用画像データから、当該プリント用画像データの画像サイズよりも小さい画像サイズとなるように、表示用画像データを作成し、表示用画像データ保存部に保存し、プリント用画像データ保存指令部は、プリント用画像データを情報処理装置に通信部によって送信し、プリント用画像データ保存部に保存するように指令することが好ましい。
【００２５】
この構成によれば、携帯端末と情報処理装置とをデータ通信可能に接続した場合に、携帯端末に保存されているプリント用画像データと同一のプリント用画像データが情報処理装置のプリント用画像データ保存部に保存されているか否かを判断するため、注文者が、携帯端末上のプリント用画像データと同一のプリント用画像データが情報処理装置上に保存されているか否かを判断する必要がなく、注文者による上記判断をなくして、操作を簡単にできる。
【００２６】
また、上記の本発明に係る写真プリント注文システムにおいて、
前記情報処理装置は、
プリント用画像データから、当該プリント用画像データの画像サイズよりも小さい画像サイズとなるように、前記表示用画像データを作成する表示用画像データ作成部と、
前記表示用画像データを前記携帯端末に前記通信部によって送信し、表示用画像データ保存部に保存するように指令する表示用画像データ保存指令部と、をさらに備え、
携帯端末は、前記受信した表示用画像データを前記表示用画像データ保存部に保存するように制御する表示用画像データ保存制御部をさらに備えることを特徴とする。
【００２７】
この構成によれば、情報処理装置は、プリント用画像データから、当該プリント用画像データの画像サイズよりも小さい画像サイズとなるように、表示用画像データを作成し、携帯端末に送信し、表示用画像データ保存部に保存することができる。これにより、情報処理装置に保存されているプリント用画像データに対応する表示用画像データを携帯端末に保存させておくことができる。
【００２８】
また、この構成において、携帯端末と情報処理装置とをデータ通信可能に接続した場合に、情報処理装置のプリント用画像データ保存部に保存されているプリント用画像データに対応する表示用画像データが携帯端末の表示用画像データ保存部に保存されているか否かを判断する表示用画像データ有無判断部を、有し、当該保存されていない場合に、表示用画像データ作成部は、プリント用画像データから、当該プリント用画像データの画像サイズよりも小さい画像サイズとなるように、表示用画像データを作成し、表示用画像データ保存指令部は、作成された表示用画像データを携帯端末に通信部によって送信し、当該表示用画像データ保存部に保存するように指令することが好ましい。
【００２９】
この構成によれば、携帯端末と情報処理装置とをデータ通信可能に接続した場合に、情報処理装置のプリント用画像データ保存部に保存されているプリント用画像データに対応する表示用画像データが携帯端末の表示用画像データ保存部に保存されているか否かを判断して、保存されていない場合に、情報処理装置の表示用画像データ作成部は、プリント用画像データから、当該プリント用画像データの画像サイズよりも小さい画像サイズとなるように、表示用画像データを作成することができる。これによって、注文者の判断に頼らずに、情報処理装置に保存されているプリント用画像データに対応する表示用画像データを携帯端末に保存することができる。
【００３０】
また、他の本発明に係る写真プリント注文方法は、
写真プリント処理に提供される画像データを含む注文情報をネットワークを介して送信することで写真プリント注文を行なう写真プリント注文方法であって、
携帯端末の表示用の画像サイズの表示用画像データに基づいて、当該表示用画像データの識別情報である画像データ識別情報を含む注文情報を作成する注文情報作成ステップと、
前記作成された注文情報を情報処理装置に送信する注文情報送信ステップと、
前記携帯端末から前記注文情報を受信する注文情報受信ステップと、
前記受信した注文情報に含まれる前記画像データ識別情報に対応する写真プリント処理に提供されるプリント用画像データを記録媒体から検索する検索ステップと、
前記検索されたプリント用画像データを含む注文情報をサーバに送信する指令を通信手段に行なう注文指令ステップと、を有することを特徴とする。
【００３１】
また、他の本発明に係る写真プリント注文方法は、
写真プリント処理に提供される画像データを含む注文情報をネットワークを介して送信することで写真プリント注文を行なう写真プリント注文方法であって、
携帯端末の表示用の画像サイズの表示用画像データに基づいて、当該表示用画像データの識別情報である画像データ識別情報を含む注文情報を作成する注文情報作成ステップと、
前記作成された注文情報をサーバに送信する第１の注文情報送信ステップと、
前記作成された注文情報を情報処理装置に送信する第２の注文情報送信ステップと、
前記第２の注文情報送信ステップにおける携帯端末から前記注文情報を受信する注文情報受信ステップと、
前記受信した注文情報に含まれる前記画像データ識別情報に対応する写真プリント処理に提供されるプリント用画像データを記録媒体から検索する検索ステップと、
前記検索されたプリント用画像データおよび画像データ識別情報をサーバに送信する指令を通信手段に行なう注文指令ステップと、
前記第１の注文情報送信ステップにおける携帯端末から前記注文情報を受信する注文情報受信ステップと、
前記情報処理装置からプリント用画像データおよび画像データ識別情報を受信するプリント用画像データ受信ステップと、
前記受信した注文情報に含まれる画像データ識別情報と情報処理装置から送信された画像データ識別情報とを照合して、当該注文情報に係るプリント用画像データを検索する検索ステップと、を有することを特徴とする。
【００３２】
上記写真プリント注文方法の作用効果は、上記で説明した写真プリント処理システムの作用効果と同様である。
【発明を実施するための最良の形態】
【００３３】
（実施形態１）
本発明に係る写真プリント注文システムの好適な実施形態の一例を図面を用いて説明する。図１、２は、システム全体の構成を示す模式図である。図１では、携帯端末１０、情報処理装置２０、サーバ３０の機能構成を主に示し、図２では、写真プリント処理店の写真処理装置１００、コントローラ２００の機能構成を主に示している。
【００３４】
＜システムの全体構成＞
図１、２において、写真処理装置１００は、デジタルの画像データに基づいて、写真プリントを作成する機能を有する。画像データは、コントローラ２００あるいは写真処理装置１００に設けられるスキャナー３００から取得される現像済みネガフィルムのコマ画像の画像データや、ネットワーク経由で送信されてくる画像データなどがあげられる。  
【００３５】
図１においては、スキャナー３００はコントローラ２００に設けられている。スキャナー３００は、現像済みネガフィルムに形成されているコマ画像をスキャニングして、デジタルの画像データを取得する機能を有する。読み取られた画像データは、コントローラ２００に送信される。読み取り方法としては、プレスキャニングと本スキャニングの２種類があり、プレスキャニングは、ネガフィルムの全体を低解像度（プレジャッジ用解像度）で一度読み取り、本スキャニングは、プレスキャニングの画像データに基づいたプレジャッジ処理後に行なわれるものであって、高解像度（写真用解像度）での読み取りである。この場合、スキャナー３００にはプレジャッジ処理機能を提供する後述するプレジャッジ処理手段と接続されて構成される。なお、スキャナー３００は、写真処理装置１００側に設置されていてもよい。  
【００３６】
受付端末４００は、写真店内に設置され、カメラ付携帯電話あるいはデジタルカメラで撮影された画像データを保存している記録メディア、パソコンで処理された画像データ等が保存されている記録メディアから、写真プリント処理する画像データを受け付ける機能を有し、画像データの受け付けにともない、注文に関する注文情報も入力可能である。受付端末４００は、主として顧客により操作されるものであり、顧客が自分で持参した記録メディアを挿入し、プリント処理の対象となる画像データの選択、プリント枚数、プリントサイズの設定なども行うことができる。もちろん、店員が受付端末４００を操作するようにしてもよい。受付端末４００で受け付けた画像データおよび注文情報は、コントローラ２００のデータ保存部２０１に保存される。ここで写真プリント処理待ち状態として蓄積される。
【００３７】
記録装置５００は、コントローラ２００または写真処理装置１００が取得した画像データをＣＤ−Ｒ、ＤＶＤ−Ｒ等の記録メディアに書き込む機能を有する。ネット受付端末６００（パソコンにより構成されている）は、インターネット経由でのプリント注文に係る画像データを受け付ける機能を有する。写真処理装置１００、コントローラ２００、受付端末４００、記録装置５００、ネット受付端末６００は、店舗内においてネットワーク（例えば、ＬＡＮ）により接続されている。また、写真処理装置１００、コントローラ２００、スキャナー３００、受付端末４００、記録装置５００、ネット受付端末６００の設置台数は１台に限定されるものではなく、必要に応じて複数台を設置することができる。
【００３８】
＜コントローラの機能ブロック構成＞
コントローラ２００は、写真処理装置１００における写真プリント処理の処理順序の設定、画像データおよびオーダ情報の管理等を主に実行する情報処理装置である。コントローラ２００はスキャナー３００と接続されている。スキャナー３００は、現像済みネガフィルム（写真フィルム）に形成されているコマ画像をスキャニングしてデジタルの画像データを取得する。スキャナー３００で読み取られた画像データは、その注文情報とともにデータ保存部２０１に保存される。また、受付端末４００で受け付けた画像データおよび注文情報を送受信部２０２で受信し、データ保存部２０１に保存する。また、ネット受付端末６００で受け付けた画像データおよび注文情報を送受信部２０２で受信し、データ保存部２０１に保存する。データ保存部２０１は、大容量記憶媒体、大容量記憶装置が好ましく、例えばハードディスクが例示できる。送受信部２０２は、公知の通信手段で構成されている。
【００３９】
コントローラ２００は、プレジャッジ機能を備えている。例えば、オーダ情報の画像データに対し、プレジャッジ処理を行ない、オーダ情報に当該プレジャッジ補正データを関連づけてデータ保存部２０１に保存するプレジャッジ処理部２０３を有していてもよい。また、スキャナー３００から受信された画像データは、プレジャッジ処理後のものであってもよい。
【００４０】
本発明において、プレジャッジ処理は、画像データに基づいて写真プリントを作成する前に、適切な画質の写真プリントが作成されるか否かを判定するものであり、画像データに対する判定をオペレータが行なうための機能を提供し、かかる機能は主としてソフトウェアにより提供される。なお、プレジャッジ処理は必ず行なわなければならないものではなく、プレジャッジ処理を省略してプリント処理を行うことも可能である。
【００４１】
プレジャッジ処理部２０３は、具体的には、色や濃度を補正するための補正データを入力する機能を提供するものであり、かかる補正データの入力は必要に応じて設定される。その他の補正データの設定としては、赤目補正、逆光補正などの特殊補正の設定が例としてあげられる。
【００４２】
また、プリント枚数の設定としては、スキャナー３００から取得した画像データに関してはデフォルトで１が設定されているが、オペレータの入力操作により変更することができる。
【００４３】
オーダ制御部２０４は、プリント処理すべき画像データをオーダ単位に管理する機能を提供する。ここで１オーダとは、フィルム１本分あるいは記録メディア１個分についてのプリント注文に係る画像データ群を指すものであるが、これに限定されるものではなく、１オーダの概念はオペレータにより適宜設定することができる。
【００４４】
処理順序設定部２０５は、データ保存部２０１に蓄積されているオーダ群に対し、所定のルールに基づいて処理順序を自動的に設定する。このルールは、例えば、
（１）オーダを受け付けた順序に従って処理順序が設定される。
（２）（１）において、引渡し時刻の指定が有る場合、引渡し時刻に間に合うように処理順序が設定される。この場合、オーダの受付順序に従わない場合が生じる。
（３）他の処理に優先して処理させなければならない特急オーダの場合、現処理中オーダの次の処理として優先的に処理順序を設定する。
以上のルールに基づいて、処理順序設定部２０５は、処理順序を設定する。
【００４５】
プリント処理順序が設定された場合、このプリント処理順序に従って、プリント処理の対象となるオーダの画像データおよびオーダ情報をプリント処理するように構成される。
【００４６】
上記コントローラ２００の各機能要素は、通常、ソフトウェアで構成され、ＣＰＵ、メモリ等のハードウェア資源と協働して動作するものであるが、専用回路、ファームウエア等を組み合わせて構成してもよい。当該ソフトウエアプログラムは、ＲＯＭ等のメモリに予め格納されている。
【００４７】
また、コントローラ２００は、各種設定、操作指示入力等のための入力操作部２４０と、各種設定操作指示表示等のためにモニター２５０とを備えている。図２において、モニター２５０は、プレジャッジを行なうための画面やオーダ管理画面等を表示させるものであり、プリント処理等を行うために必要な画面を提供する。入力操作部２４０は、キーボードやマウス等により構成され、プリント処理に必要なデータ入力や設定、各種指令を行う。
【００４８】
画像処理基板２３０は、処理すべきオーダに係る画像データを、プレジャッジ補正データあるいはオーダ情報に含まれる補正データに基づいて、画像処理を行い、写真プリントを作成するために用いられるプリント作成用画像データを生成する。画像処理基板２３０は、入力メモリ、画像処理回路部、展開メモリにより構成され、画像処理回路部において所定の画像処理が行なわれる。具体的には、プレジャッジ処理等の補正データに基づく色・濃度の補正、設定されたプリントサイズに従ったデータの拡縮処理などである。このプリント作成用画像データは、オーダ単位に、写真処理装置１００側に送受信部２０２によって送信される。なお、画像処理基板２３０の機能をソフトウエアプログラムにて実行させることできる。さらに、画像処理基板２３０を写真処理装置１００側に設置し、コントローラ２００側では、画像データ、補正データ、オーダ情報をそのまま写真処理装置１００に転送するように構成することもできる。
【００４９】
次に、写真処理装置１００の機能構成について説明する。写真処理装置１００は、コントローラ２００からプリント作成用画像データを受信するデータ受信部１２０と、受信されたプリント用作成画像データを保存するデータ保存部１２１と、当該プリント作成用画像データに基づいて、マガジン１０３から繰り出された印画紙１０４に露光処理するための露光部１０５と、露光処理された印画紙１０４を現像処理するための現像部１０６と、現像処理された印画紙１０４を乾燥処理するための乾燥部１０７と、乾燥処理された印画紙１０４を仕分け処理しながら排出する仕分け排出部１０８と、を有して構成されている。また、写真処理装置１００の全体的な動作を制御するためのメイン制御部１３０を備えている。メイン制御部１３０は、データ保存部１２１に保存された当該プリント作成用画像データを読み出し、露光部１０５に転送し、露光処理の開始を制御する。
【００５０】
マガジン１０３には、写真感光材料である印画紙１０４がロール状に収容されている。マガジン１０３は、２台を設置することができ、例えば、幅の異なる印画紙を予めセットしておくことができる。マガジン１０３から引き出された長尺状の印画紙１０４は、設定されたプリントサイズになるようにカッター等の切断手段で切断される。
【００５１】
露光部１０５は、露光エンジンを有し、プリント作成用画像データを受け取り、このプリント作成用画像データに基づいて、印画紙の乳剤面に画像を焼付露光する。露光エンジンとしては、特定の方式のものに限定されるものではなく、例えば、レーザーエンジン、ＣＲＴエンジン、ＰＬＺＴエンジンなどを用いることができる。
【００５２】
現像部１０６は、画像が焼付露光された印画紙１０４の現像処理を行い、乾燥部１０７は、現像処理された印画紙１０４の乾燥処理を行なう。仕分け排出部１０８において、仕上がりの写真プリントが装置本体外部に排出され、所定の集積装置によりオーダ単位で集積可能に構成されている。
【００５３】
印画紙センサー１０９は、仕分け排出部１０８から排出される印画紙１０４を検出し、あるオーダの写真プリントが全て排出されたか否かを検出する。センサー制御部１１０は、印画紙センサー１０９の駆動制御を行なうと共に、印画紙センサー１０９からの信号を受信して解析する。メイン制御部１３０は、あるオーダについての写真プリントが全て排出されたとセンサー制御部１１０により検出された場合、当該オーダのデータ保存部１２１に保存されているプリント作成用画像データを削除する。また、メイン制御部１３０は、コントローラ２００にその通知を行い、そのオーダについてのオーダ情報を処理済みの管理状態に設定し、さらに、データ保存部２０１から削除するように構成してもよい。
【００５４】
（オンライン注文に用いられる機能要素）
インターネット上に設置されるサーバ３０は、オンラインでのプリント注文を受け付ける機能を提供する。プリント注文を行なう場合は、インターネットに接続される情報処理装置２０から、写真プリント処理に係る注文情報（画像データを含んでいる）をアップロードすると、通信部３１によってそれらデータが受信され、注文情報がデータ保存部３２に保存される。そして、注文情報に含まれる写真店の識別情報（店舗住所、店舗識別子、店舗名等）に対応する店舗のネット受付端末６００に注文情報（画像データを含む）がダウンロードされる。ネット受付端末６００で受け付けた注文情報は、コントローラ２００のデータ保存部２０１に保存され、写真プリント処理待ち状態として蓄積される。
【００５５】
（携帯端末）
携帯端末１０は、表示用の画像サイズの表示用画像データを保存する表示用画像データ保存部１１と、表示用画像データに基づいて、注文情報を作成する注文情報作成部１２と、作成された注文情報を情報処理装置２０に送信する通信部１３とを有する。
【００５６】
また、携帯端末は、画像を撮影する撮影部１４と、撮影により取得されたプリント用画像データから、当該プリント用画像データの画像サイズよりも小さい画像サイズとなるように、表示用画像データを作成し、表示用画像データ保存部１１に保存する表示用画像データ作成部１５と、作成されたプリント用画像データ（画像データ識別情報と紐付けされている）を情報処理装置２０に通信部１３によって送信し、プリント用画像データ保存部２１に保存するように指令するプリント用画像データ保存指令部１６と、送信されたプリント用画像データを携帯端末１０から削除する削除部１７とを備えている。
【００５７】
撮影部１４は、CCDカメラやCMOSカメラで構成され、この撮影より取得されたプリント用画像データ（写真に適した画像サイズの画像データ）は、不図示のメモリに一時的に保存される。このままメモリに保存しておくことも可能であるが、メモリ容量を圧迫するため、プリント用画像データから表示用画像データ（表示用に画像サイズを小さくした画像データ）を作成し、保存する。そして、プリント用画像データおよびそれと紐付けされた画像データ識別情報を情報処理装置２０側に送信する。
【００５８】
情報処理装置２０にプリント用画像データを送信するタイミングは、携帯端末１０と情報処理装置２０とをデータ通信可能に接続された場合である。携帯電話機能の無線データ通信の場合、データ量に比例して通信料が高くなるため、この方法は好ましくない。接続方法は後述する。
【００５９】
また、携帯端末１０は、情報処理装置２０から受信した表示用画像データを表示用画像データ保存部１１に保存するように制御する表示用画像データ保存制御部１８を備える。これによって、情報処理装置２０にあるプリント用画像データに対応する表示用画像データを携帯端末１０に保存させることができる。
【００６０】
（情報処理装置）
情報処理装置２０は、写真プリント処理に提供されるプリント用画像データを保存するプリント用画像データ保存部２１と、携帯端末１０から注文情報を受信する通信部２２と、受信した注文情報に含まれる画像データ識別情報に対応するプリント用画像データをプリント用画像データ保存部２１から検索する検索部２３と、検索されたプリント用画像データを含む注文情報をサーバ３０に送信する指令を通信部２２に行なう注文指令部２４とを有する。情報処理装置２０とサーバ３０がネットワーク接続された場合に、この注文指令部２４による指令によって、注文情報（プリント用画像データを含む）がサーバ３０に送信される。
【００６１】
そして、注文情報有無判断部２４１は、携帯端末１０と情報処理装置２０とをデータ通信可能に接続した場合に、前回接続した後で作成された注文情報が存在するか否かを判断する。新しい注文情報があるか否かを自動的に判断する機能であり、ユーザの操作性を飛躍的に向上させるものである。なお、この機能は必須の構成ではなく、ユーザが情報処理装置２０に送りたい注文情報のみを選択して送信できるように注文情報を選択する注文情報選択手段を携帯端末１０に備えるように構成することもできる。また、注文情報有無判断部２４１は、情報処理装置２０側に備える構成とせずに、携帯端末１０側に備えるように構成することもできる。
【００６２】
また、携帯端末１０と情報処理装置２０とをデータ通信可能に接続する方法としては、赤外線通信方法、近距離無線通信（例えば、Bluetooth（登録商標））、USBケーブルで直接接続する方法、専用ソフトによる通信方法等が例示される。
【００６３】
注文情報有無判断部２４１によって、前回接続した後で作成された新しい注文情報の存在が自動的に判断され、その注文情報が携帯端末１０から自動的に情報処理装置２０に送信されることになる。
【００６４】
また、情報処理装置２０は、携帯端末１０から受信したプリント用画像データをプリント用画像データ保存部２１に保存するように制御するプリント用画像データ保存制御部２５を備える。これによって、携帯端末１０で撮影されたプリント用画像データを情報処理装置２０に保存させることができる。
【００６５】
また、携帯端末１０から情報処理装置２０に送信されるプリント用画像データとしては、ユーザの指示入力によって選択されたプリント用画像データもあるが、プリント用画像データ保存指令部１６によって設定されたプリント用画像データもある。
【００６６】
さらに、他の実施形態として、情報処理装置２０は、携帯端末１０と情報処理装置２０とをデータ通信可能に接続した場合に、携帯端末１０に保存されているプリント用画像データと同一のプリント用画像データが情報処理装置２０のプリント用画像データ保存部２１に保存されているか否かを判断するプリント用画像データ有無判断部２８を有し、保存されていない場合に、携帯端末１０の表示用画像データ作成部１５は、プリント用画像データから、当該プリント用画像データの画像サイズよりも小さい画像サイズとなるように、表示用画像データを作成し、表示用画像データ保存部１１に保存し、プリント用画像データ保存指令部１６は、プリント用画像データを情報処理装置２０に通信部１３によって送信し、プリント用画像データ保存部２１に保存するように指令するように構成できる。これによって、携帯端末１０と情報処理装置２０との間で、プリント用画像データの照合が自動的に行なわれ、携帯端末１０に存在するが情報処理装置２０に存在しないプリント用画像データを情報処理装置２０に保存させることができ、ユーザの操作性が飛躍的に向上する。
【００６７】
なお、プリント用画像データ有無判断部２８は、情報処理装置２０側に備える構成とせずに、携帯端末１０側に備えるように構成することもできる。
【００６８】
また、情報処理装置２０は、プリント用画像データから、当該プリント用画像データの画像サイズよりも小さい画像サイズとなるように、表示用画像データを作成する表示用画像データ作成部２６と、作成された表示用画像データを携帯端末１０に通信部２２によって送信し、表示用画像データ保存部１１に保存するように指令する表示用画像データ保存指令部２７とを備える。これによって、情報処理装置２０に保存されているプリント用画像データに対応する表示用画像データを作成し、携帯端末１０にその作成された表示用画像データを送信することができる。
【００６９】
また、情報処理装置２０から携帯端末１０に送信される表示用画像データとしては、ユーザの指示入力によって選択された表示用画像データもあるが、表示用画像データ保存指令部２７によって設定された表示用画像データもある。
【００７０】
さらに、他の実施形態として、情報処理装置２０は、携帯端末１０と情報処理装置２０とをデータ通信可能に接続した場合に、情報処理装置２０のプリント用画像データ保存部２１に保存されているプリント用画像データに対応する表示用画像データが携帯端末１０の表示用画像データ保存部１１に保存されているか否かを判断する表示用画像データ有無判断部２９を有し、表示用画像データが保存されていない場合に、情報処理装置２０の表示用画像データ作成部２６は、プリント用画像データから、当該プリント用画像データの画像サイズよりも小さい画像サイズとなるように、表示用画像データを作成し、表示用画像データ保存指令部２７は、作成された表示用画像データを携帯端末１０に通信部２２によって送信し、表示用画像データ保存部１１に保存するように指令することができる。これによって、携帯端末１０と情報処理装置２０との間で、プリント用画像データに対応する表示用画像データの照合が自動的に行なわれ、情報処理装置２０に存在するプリント用画像データに対応する表示用画像データが携帯端末１０に存在しなければ、自動的に表示用画像データを作成し、携帯端末１０に送信して保存させることができ、ユーザの操作性が飛躍的に向上する。
【００７１】
なお、表示用画像データ有無判断部２９は、情報処理装置２０側に備える構成とせずに、携帯端末１０側に備えるように構成することもできる。
【００７２】
＜具体的処理の手順＞
以下に、注文処理の具体的処理手順について図３、４のフローチャートを用いて説明する。図３を用いて携帯端末１０側の注文処理について説明する。携帯端末１０側には写真プリント処理対象の表示用画像データが保存されている。この表示用画像データを読み出し、閲覧しながら写真プリントさせたい画像を選択する（Ｓ１）。選択操作画面は特に制限されない。そして、選択とともにプリントサイズやプリント枚数の設定も行う（Ｓ２）。これらの設定の他に、写真店の指定、指定支払い方法、引渡し納期、引渡し方法（店頭受け取り、宅配送付）について設定することもできるし、予め設定された情報をメモリから読み出して、注文情報に付加してもよい。次いで、注文情報が確定したら、注文情報を注文情報保存部１９に保存する（Ｓ３）。注文情報には、ステップＳ１で選択された表示用画像データの画像データ識別情報が含まれている。この画像データ識別情報は表示用画像データに対応するオリジナル画像のプリント用画像データにも紐付けされている。また、注文情報には、注文情報の作成日あるいは注文情報作成による作成累積番号が注文情報の識別情報として含まれる。
【００７３】
次いで、図４を用いて情報処理装置２０側の注文処理について説明する。携帯端末１０と情報処理装置２０とをデータ通信可能に接続する（Ｓ１１）。この接続によって、携帯端末１０に保存されている注文情報が新しいものか否か（前回接続した後に作成された注文情報が存在するか否か）を判断する（Ｓ１２）。新しい注文情報がない場合、注文処理は終了しステップＳ１１より前の状態に戻る。この判断処理は、例えば、前回接続された日時（メモリに保存しておく）と注文情報に含まれる注文情報作成日を比較することで判断できる。
【００７４】
新しい注文情報があると判断された場合、携帯端末１０から注文情報を全て受信する（Ｓ１３）。次いで、注文情報に含まれる画像データ識別情報をキーにプリント用画像データを検索する（Ｓ１４）。そして、検索により得られたプリント用画像データを含む注文情報を作成し、接続されたサーバ３０に注文情報（プリント用画像データ含む）を送信する（Ｓ１５）。これにより、プリント注文が完了する。なお、情報処理装置２０からサーバ３０への注文情報の送信方法は、特に制限されず、オンライン注文のＷｅｂページの操作画面にしたがった送信方法でもよく、電子メールとしての送信方法でもよい。
【００７５】
次いで、携帯端末１０側での表示用画像データ作成処理の具体的処理手順について図５のフローチャートを用いて説明する。撮影部１４によって、写真プリント用の画像サイズで画像を撮影する（Ｓ２１）。次いで、ステップＳ２１で得られたプリント用画像データから表示用画像データを作成し、保存する（Ｓ２２）。次いで、携帯端末１０と情報処理装置２０とをデータ通信可能に接続する（Ｓ２３）。次いで、画像データ識別情報ともにプリント用画像データを情報処理装置２０に送信する。情報処理装置２０側では、受信したプリント用画像データおよび画像データ識別情報を紐付けして保存処理する。次いで、送信済みのプリント用画像データを携帯端末１０から削除する（Ｓ２５）。
【００７６】
なお、別実施形態として、ステップＳ２１の撮影処理の変わりに、デジタルカメラ、情報処理装置、携帯電話からのプリント用画像データの受信処理を行なう構成でもよい。さらに、この場合、ステップＳ２３の接続によって、携帯端末１０に保存されているプリント用画像データと同一のデータが情報処理装置２０側に保存されているか否かを判断するように構成することができる。
【００７７】
次いで、情報処理装置２０側での表示用画像データ作成処理の具体的処理手順について図６のフローチャートを用いて説明する。先ず、携帯端末１０と情報処理装置２０とをデータ通信可能に接続する（Ｓ３１）。次いで、情報処理装置２０で保存しているプリント用画像データに対応する表示用画像データが携帯端末１０に保存されているか否かが判断される（Ｓ３２）。携帯端末１０に当該表示用画像データが存在すれば、この処理は終了し、ステップＳ３１の前の状態に戻る。携帯端末１０に当該表示用画像データが存在しない場合、プリント用画像データから表示用画像データを作成する処理が実行される（Ｓ３３）。次いで、作成された表示用画像データが携帯端末１０に画像データ識別情報とともに送信される（Ｓ３４）。携帯端末１０では、受信した表示用画像データおよび画像識別情報を紐付けして保存処理する。
【００７８】
（実施形態２）
実施形態２は、携帯端末１０から直接サーバ３０に注文情報（画像データ識別情報を含み、画像データを含まない）を送信し、そして、情報処理装置２０から、画像データおよび画像データ識別情報がサーバ３０に送信される注文形態である。以下では、実施形態１との異なる構成について詳細に説明し、同様の構成については省略あるいは簡単に説明する。
【００７９】
実施形態２のシステムは、図７に示すように、携帯端末１０は、表示用の画像サイズの表示用画像データを保存する表示用画像データ保存部１１と、表示用画像データに基づいて、注文情報を作成する注文情報作成部１２と、作成された注文情報をサーバ３０および情報処理装置２０に送信する通信部１３とを有する。注文情報をサーバ３０に通信する通信手段と注文情報を情報処理装置２０に通信する通信手段とは同一のものでもよく、別装置で構成されていてもよい。
【００８０】
情報処理装置２０は、写真プリント処理に提供されるプリント用画像データを保存するプリント用画像データ保存部２１と、携帯端末１０から注文情報を受信する通信部２２と、受信した注文情報に含まれる画像データ識別情報に対応するプリント用画像データをプリント用画像データ保存部２１から検索する検索部２３と、検索されたプリント用画像データおよび画像データ識別情報をサーバ３０に送信する指令を通信部２２に行なう注文指令部２４とを有する。
【００８１】
サーバ３０は、携帯端末１０から注文情報を受信する通信手段（通信部３１の一機能）と、情報処理装置２０からプリント用画像データおよび画像データ識別情報を受信する通信手段（通信部３１の一機能）とを備え、受信されたそれぞれのデータはデータ保存部３２に保存される。そして、検索部３３が、注文情報に含まれる画像データ識別情報と情報処理装置２０から送信された画像データ識別情報とを照合して、当該注文情報に係るプリント用画像データを検索する。そして、検索されたプリント用画像データを含む注文情報が写真店のネット受付端末６００に送信される。また、情報処理装置２０は、注文情報有無判断部２４１を備え、さらに、サーバ３０もそれと同様の機能である注文情報有無判断部３４を備えている。これにより携帯端末１０とサーバ３０がデータ通信可能に接続された場合に、新しい注文情報の有無が自動的に判断され、新しい注文情報が、携帯端末１０から、サーバ３０に自動的送信されるように構成できる。
【００８２】
（実施形態３）
上記実施形態１，２の構成要素は、ソフトウェアとハードウエア（ＣＰＵ、メモリ等）との協働作用によって実現でき、専用回路、ファームウエア等で、またはそれらの組み合わせで実現することもできる。
【００８３】
ソフトウェアで実現する場合、そのプログラムは以下のようになる。このプログラムは、記録媒体に記録され、記録媒体として提供可能であり、また、通信回線を介して提供（ダウンロード提供）されてもよい。通信回線を介して提供される場合、その一部の機能のみが提供されてもよく、他の一部がサーバ装置に残っていてもよく、全体の機能として本発明の機能が発揮されていれば本発明の技術的範囲に含まれる。
【００８４】
本発明の第１のソフトウエアプログラムは、コンピュータに、
携帯端末の表示用の画像サイズの表示用画像データに基づいて、当該表示用画像データの識別情報である画像データ識別情報を含む注文情報を作成する注文情報作成ステップと、
前記作成された注文情報を情報処理装置に送信する注文情報送信ステップと、を実行させるためのプログラムである。
【００８５】
また、第２のソフトウエアプログラムは、コンピュータに、
携帯端末から注文情報を受信する注文情報受信ステップと、
前記受信した注文情報に含まれる画像データ識別情報に対応する写真プリント処理に提供されるプリント用画像データを記録媒体から検索する検索ステップと、
前記検索されたプリント用画像データを含む注文情報をサーバに送信する指令を通信手段に行なう注文指令ステップと、を実行させるためのプログラムである。
【００８６】
また、第３のソフトウエアプログラムは、コンピュータに、
携帯端末の表示用の画像サイズの表示用画像データに基づいて、当該表示用画像データの識別情報である画像データ識別情報を含む注文情報を作成する注文情報作成ステップと、
前記作成された注文情報をサーバに送信する第１の注文情報送信ステップと、
前記作成された注文情報を情報処理装置に送信する第２の注文情報送信ステップと、を実行させるためのプログラムである。
【００８７】
また、第４のソフトウエアプログラムは、コンピュータに、
前記第２の注文情報送信ステップにおける携帯端末から前記注文情報を受信する注文情報受信ステップと、
前記受信した注文情報に含まれる画像データ識別情報に対応する写真プリント処理に提供されるプリント用画像データを記録媒体から検索する検索ステップと、
前記検索されたプリント用画像データおよび画像データ識別情報をサーバに送信する指令を通信手段に行なう注文指令ステップと、を実行させるためのプログラムである。
【００８８】
また、第５のソフトウエアプログラムは、コンピュータに、
前記第１の注文情報送信ステップにおける携帯端末から前記注文情報を受信する注文情報受信ステップと、
前記情報処理装置からプリント用画像データおよび画像データ識別情報を受信するプリント用画像データ受信ステップと、
前記受信した注文情報に含まれる画像データ識別情報と情報処理装置から送信された画像データ識別情報とを照合して、当該注文情報に係るプリント用画像データを検索する検索ステップと、を実行させるためのプログラムである。
【００８９】
また、第６のソフトウエアプログラムは、コンピュータに、
携帯端末と情報処理装置とをデータ通信可能に接続した場合に、前回接続した後で作成された注文情報が存在するか否かを判断する注文情報有無判断ステップを実行させるためのプログラムである。
【００９０】
また、第７のソフトウエアプログラムは、コンピュータに、
携帯端末と情報処理装置とをデータ通信可能に接続した場合に、携帯端末に保存されているプリント用画像データと同一のプリント用画像データが情報処理装置のプリント用画像データ保存部に保存されているか否かを判断するプリント用画像データ有無判断ステップと、
保存されていない場合に、プリント用画像データから、当該プリント用画像データの画像サイズよりも小さい画像サイズとなるように、表示用画像データを作成し、表示用画像データ保存部に保存するステップと、
プリント用画像データを情報処理装置に通信部によって送信し、プリント用画像データ保存部に保存するように指令するステップと、を実行させるためのプログラムである。
【００９１】
また、第８のソフトウエアプログラムは、コンピュータに、
携帯端末と情報処理装置とをデータ通信可能に接続した場合に、情報処理装置のプリント用画像データ保存部に保存されているプリント用画像データに対応する表示用画像データが携帯端末の表示用画像データ保存部に保存されているか否かを判断する表示用画像データ有無判断ステップと、
保存されていない場合に、プリント用画像データから、当該プリント用画像データの画像サイズよりも小さい画像サイズとなるように、表示用画像データを作成するステップと、
作成された表示用画像データを携帯端末に通信部によって送信し、当該表示用画像データ保存部に保存するように指令するステップと、を実行させるためのプログラムである。
【００９２】
（別実施形態）
本発明は、上記実施形態１〜３に限定されるものではない。例えば、携帯端末での上記処理内容を実行する第１の注文処理アプリケーションを構成し、このアプリケーションを携帯端末にインストールする。また、情報処理装置での上記処理内容を実行する第２の注文処理アプリケーションを構成し、このアプリケーションを情報処理装置にインストールする。これらアプリケーションはその起動により機能するものであるが、起動指示として、携帯端末と情報処理装置とをデータ通信可能に接続したときにそれらアプリケーションが自動的に起動するように構成することもできる。
【図面の簡単な説明】
【００９３】
【図１】写真プリント注文システムの構成を示す概念図およびブロック図
【図２】写真プリント注文システムの構成を示す概念図およびブロック図
【図３】注文処理手順を説明するためのフローチャート
【図４】注文処理手順を説明するためのフローチャート
【図５】携帯端末側で表示用画像データを作成する手順を示すフローチャート
【図６】情報処理装置側で表示用画像データを作成する手順を示すフローチャート
【図７】写真プリント注文システムの構成を示す概念図およびブロック図
【符号の説明】
【００９４】
１０      携帯端末
１１      表示用画像データ保存部
１２      注文情報作成部
１３      通信部
１４      撮影部
１５      表示用画像データ作成部
１６      プリント用画像データ保存指令部
１７      削除部
１８      表示用画像データ保存制御部
１９      注文情報保存部
２０      情報処理装置
２１      プリント用画像データ保存部
２２      通信部
２３      検索部
２４      注文指令部
２４１    注文情報有無判断部
２５      プリント用画像データ保存制御部
２６      表示用画像データ作成部
２７      表示用画像データ保存指令部
２８      プリント用画像データ有無判断部
２９      表示用画像データ有無判断部
３０      サーバ
３１      通信部
３２      データ保存部
３３      検索部
１００    写真処理装置
２００    コントローラ
２０１    データ保存部
【図１】
2009080768.tif 000003
【図２】
2009080768.tif 000004
【図３】
2009080768.tif 000005
【図４】
2009080768.tif 000006
【図５】
2009080768.tif 000007
【図６】
2009080768.tif 000008
【図７】
2009080768.tif 000009